(57)【要約】      （修正有）【課題】手軽に家庭の庭等で１人でひとつのボールにて安全に投球、守備、打撃練習を可能にする投球、守備、打撃兼用野球練習具を提供する。【解決手段】複数の木材板を積み重ね形成した縦壁部材２と、該縦壁部材２の両側を保持する一対の垂直保持部材１と、該一対の垂直保持部材１の下端部から後方に延びる水平保持部材３と、該水平保持部材３の後端部と、前述垂直保持部材１の上端部とを連結する斜め支持部材４と前述縦壁部材２の傾斜角度を可変とする角度調整手段９、１０とを備え、また、着脱自在な防球ネット部材２７、２８を備え、運搬組立解体の容易なことを特徴とする。【選択図】図１３
0003206894.tif 000002
【実用新案登録請求の範囲】
【請求項１】
複数の板材を積み重ねて形成した縦壁部材と、該縦壁部材の両側を保持する左右一対の垂直保持部材と、該一対の垂直保持部材の下端部から後方に延びる水平保持部材と該水平保持部材の後端部と、前述垂直保持部材の上端部とを連結する斜め支持部材と前述縦壁部材の傾斜角度を可変とする角度調整手段とを備えたことを特徴とする投球、守備、打撃兼用野球練習具。
【請求項２】
前記左右一対の垂直保持部材には上下端部に該垂直保持部材よりも上方および水平に防球ネット部材を張設するための支柱が延びて、該支柱を嵌合するための防球ネット支柱固定部材が取り付けられ、該防球ネット支柱固定部材には防球ネット部材の傾斜角度を調整する角度調整手段を備えていることを特徴とする請求項１記載の投球、守備、打撃兼用野球練習具。
【考案の詳細な説明】
【技術分野】
【０００１】  本考案は練習相手がいなくても１人でひとつのボールで投球、守備、打撃練習が、家庭の庭等の狭い場所において遊戯可能であり、軽自動車で運搬容易な、さらに組立解体が容易な防球ネットが着脱自在な１人用の投球、守備、打撃兼用野球練習具に関するものである。
【背景技術】
【０００２】  投球、打撃練習をそれぞれ単独器具および設備で練習が可能な器具は多数考案されているが、ひとつの器具で投球、守備、打撃練習を可能とする器具は見当たらない。投球器具では跳ね返りの反発力を抑えるためネット、ラバー等を使用した器具は多く考案されているが、跳ね返りがないため複数個のボールが必要であり、また、本物のバットの反発感には遠く及ばなく、守備力の向上には不向きである。従来の守備練習では常に練習相手によるノックに頼る以外練習手段がなく、１人での守備練習が困難である。また、投球時の的を外れたボールが区域外に飛び出したりして家庭等の狭い場所では遊戯出来ない環境が多く、このため練習場所が限定される。さらに、キャッチボール等では練習補助者を必要とし、親等の練習補助者の時間及び体力により遊戯時間が制限され、さらに、母子家庭では手軽な野球練習が困難な状況にある。また、コンクリート壁では硬式用ボールが損傷して寿命が短く、手軽な移動設置が困難であるという問題があった。
【先行技術文献】
【特許文献】
【０００３】
【特許文献１】  特開平９−２８８５０  公報
【特許文献２】  特開平８−１３１５９１  公報
【考案の概要】
【考案が解決しようとする課題】
【０００４】  手軽に家庭の庭等において１人でひとつのボールで投球、守備、打撃練習を可能にすること。【０００５】  投球、守備、打撃練習をひとつの器具を容易に変形しこれらを可能にすること。また、守備練習において容易にゴロ、フライの選択が可能なこと。さらに、木製のバットの反発感に近いこと。【０００６】  軽量コンパクトな梱包にし、軽自動車にての移動運搬および組立解体が容易なこと。【０００７】  軟式ボール、硬式ボール、ソフトボールに対応できること。また、必要により騒音振動を容易に低減できる構造にすること。【０００８】  身近な材料で安価で頑丈で安全な構造にすること。
【課題を解決するための手段】
【０００９】  前記した課題を解決するために、本考案においては複数の木材板を積み重ねて形成した縦壁部材２と、該縦壁部材２の両側を保持する左右一対の垂直保持部材１と、該左右一対の垂直保持部材１の下端部から後方に延びる水平保持部材３と該水平保持部材３の後端部と、前述垂直保持部材１の上端部とを連結する斜め支持部材４と前述縦壁部材２の傾斜角度を可変とする角度調整手段とを備えたことを特徴とする投球、守備、打撃兼用野球練習具を提供する。【００１０】  好ましくは、前記左右一対の垂直保持部材には上下端部に該垂直保持部材よりも上方および水平に延びて防球ネット部材を張設するための防球ネット支柱固定部材が取り付けられ、該防球ネット支柱固定部材には防球ネット部材の傾斜角度を調整する角度調整手段を備えていることを特徴とする。
【考案の効果】
【００１１】  本考案で練習補助者等の相手がいなくても１人でひとつのボールで投球、守備、打撃練習が、家庭の庭等の狭い場所において遊戯可能であり、軽自動車で運搬容易な、さらに組立解体が容易な防球ネット着脱自在な１人用の投球、守備、打撃兼用野球練習具が可能になった。
【図面の簡単な説明】
【００１２】
【図１】第１実施形態の正面斜視図（Ａ）、側面図（Ｂ）である。
【図２】第１実施形態に係わる説明図（Ａ）、（Ｂ）、（Ｃ）である。
【図３】第１実施形態に係わる説明図（Ａ）、（Ｂ）である。
【図４】第１実施形態に係わる説明図（Ａ）、（Ｂ）、（Ｃ）である。
【図５】第２実施形態の正面斜視図（Ａ）、側面図（Ｂ）である。
【図６】第２，３、４実施形態に係わる説明図（Ａ）、（Ｂ）である。
【図７】第２，３、４実施形態に係わる説明図（Ａ）、（Ｂ）である。
【図８】第２，３、４実施形態に係わる説明図（Ａ）、（Ｂ）である。
【図９】第２，３、４実施形態に係わる説明図（Ａ）、（Ｂ）である。
【図１０】第２，３、４実施形態に係わる説明図（Ａ）、（Ｂ）である。
【図１１】第２、３実施形態に係わる説明図（Ａ）、（Ｂ）である。
【図１２】第３実施形態の正面斜視図（Ａ）、側面図（Ｂ）である。
【図１３】第４実施形態の正面斜視図（Ａ）、側面図（Ｂ）である。
【図１４】第４実施形態に係わる説明図（Ａ）、（Ｂ）、（Ｃ）である。
【考案を実施するための形態】
【００１３】  本考案を実施するための標準的な４種類の実施形態について、それぞれ図面を参照して説明する。
【実施例１】
【００１４】  （第１実施形態：投球、守備用基本型）
図１は既にフェンス等が設置してありボールが区域外に出ない場所にて、投球、守備練習をする場合の防球ネット無しの第１実施形態を示している正面斜視図（Ａ）および側面図（Ｂ）である。図２（Ａ）は縦壁部材２および締結部材ｂ８（鋼材連結用）、図２（Ｂ）は縦壁部材２の締付状況斜視図、図２（Ｃ）は締付状況拡大平面図、図３（Ａ）は水平支持部材５の締付状況斜視図、図３（Ｂ）は締付状況拡大平面図、図３（Ｃ）は水平支持部材５の角度調整手段の拡大図である。さらに、図９（Ｂ）はアンカーピンａ２５の形状図である。【００１５】  上記の構造について以下説明する。【００１６】  図１（Ａ）、（Ｂ）で示すように、左右一対の溝形鋼等の鋼材にて形成される垂直保持部材１と、該垂直保持部材１の溝内に嵌め込まれる複数の縦壁部材２と、前述垂直保持部材１の下端部から後方に延びる水平保持部材３と、該水平保持部材３の後端部と該垂直保持部材１の上端部とを連結する斜め支持部４とから形成されている。前述縦壁部材２は、木材で構成されると良い。また、水平支持部材５は断面逆Ｕ字状で形成されているが、断面Ｕ字状、あるいは断面ロ字状の鋼材で構成しても良いものである。さらに、水平保持部材３の地面との固定用に図９（Ｂ）のアンカーピンａ２５が備えられている。【００１７】  前記の構造の組立について以下説明する。【００１８】  ボルト（締結部材ｂ８）の挿通孔ａ１９を具備した壁面を構成する縦壁部材２を、左右一対の溝形鋼等の鋼材にて形成される垂直保持部材１の凹部に上部から嵌め込み、縦壁部材２の安定のため皿付きボルト、ちょうナット、座金より構成されるボルト（締結部材ｂ８）を、挿通孔ｂ２０より差し込んで順次締付け安定固定する。ボルト（締結部材ｂ８）は全てに必要ではなく、上下対角の４箇所を締付ければ通常は安定し遊戯が可能である。【００１９】  水平支持部材３を図３の（Ａ）、（Ｂ）に示すように、縦壁部材２の下端部に溶接等にて取り付けてある水平材連結用部材６に皿付きボルト、ちょうナット、座金より構成されるボルト（締結部材ａ７）にて連結することにより組立が可能である。さらに、水平支持部材３の動き防止のために地面にアンカーピンａ２５を打ち込み固定することとしているが状況により省略することは構わない。【００２０】  斜め支持部材４を図４の（Ａ）、（Ｂ）に示すように、縦壁部材２の上端部に溶接等にて取り付けてある斜材連結用部材５に皿付きボルト、ちょうナット、座金より構成されるボルト（締結部材ａ７）にて連結し、さらに、図３（Ｃ）に示すように斜め支持部材４の下端部に具備されている挿通孔２１を水平支持部材３の後方に溶接等で複数個取り付けてある角度調整用凸部材９の１箇所に嵌め込むことにより組立が可能となる。【００２１】  盤面角度調整機能は図３（Ｃ）に示すように、斜め支持部材４の下端部に具備されている挿通孔２１を複数個取り付けてある角度調整用凸部材９の前後に移動することにより可能であり、後方（図３（Ｃ）では右）に移動すれば縦壁部材２の盤面は上向きであり、前方（図３（Ｃ）では左）に移動すれば縦壁部材２の盤面は下向きになることを可能としている。
【実施例２】
【００２２】  （第２実施形態：投球、守備用防球ネット付き基本型）
図５は練習者側から見て縦壁部材２と略同一平面状であり、正面面積が最大となる基本型防球ネット付きの第２実施形態を示している正面斜視図（Ａ）および側面図（Ｂ）である。図６（Ａ）、（Ｂ）は第１支柱固定部材１１および第２支柱固定部材１２、図７（Ａ）、（Ｂ）は第３支柱固定部材１３、図８（Ａ）、（Ｂ）は第４支柱固定部材１４の斜視図および要部拡大図であり、図６（Ｂ）における第２支柱固定部材１２は予備用の支柱固定部材である。さらに、図１１（Ａ）は第２、３実施形態用の防球ネット部材ａ２７である。【００２３】  前記の構造について以下説明する。【００２４】  図６（Ａ）、（Ｂ）で示すように、垂直保持部材１の上端部に、角度調整機能を具備している丸鋼管等で形成される第１支柱固定部材１１と予備用の第２支柱固定部材１２が溶接等で取り付けられ、また、図７（Ａ）、（Ｂ）に示すように、垂直保持部材１の下端部に、第３支柱固定部材１３が取り付けられている。さらに，図８（Ａ）、（Ｂ）に示すように、縦壁部材２の上部中央部に第４支柱固定部材１４が釘等で縦壁部材２に固定されている。図９（Ａ）はそれぞれの該支柱固定部材に取り付けるための支柱の形状を示している。第１支柱１５はＬ字型、第２支柱１６はＹ字型とし、それぞれ先端にはロープ通し用環状部材ａ２２が取り付けられ、また、防球ネットの垂れ下がり防止を目的とする第３支柱１７は、Ｌ字型で先端にはロープ通し用Ｕ形部材２４が取り付けられている。なお、図６（Ｂ）に示すように、第１支柱固定部材１１の角度調整用凹部ａ３２、が第２実施形態用であり、角度調整用凹部ｂ３３を後述する第３，４実施形態用としている。第３支柱固定部材１３は図７（Ｂ）の角度調整用凹部ｃ３４、が第２実施形態用であり、角度調整用凹部ｄ３５を後述する第３，４実施形態用としている。さらに、第４支柱固定部材１４は図８（Ｂ）の角度調整用凹部ｅ３６、が第２実施形態用であり、角度調整用凹部ｆ３７を後述する第３，４実施形態用としている。【００２５】  前記の構造の組立について以下説明する。【００２６】第１支柱１５は図６（Ｂ）に示すように、あらかじめ第２実施形態用に計算され設定されている角度調整用凹部ａ３２に差し込むものとする。また、第２支柱１６および第３支柱１７においても、前述同様それぞれ図７（Ｂ）および図８（Ｂ）の第２実施形態用に計算され設定されている角度調整用凹部ｃ３４および角度調整用凹部ｅ３６に嵌め込むことにより第２実施形態を可能としている。なお、第３支柱１７は後述するように、防球ネット部材ａ，ｂ２７，２８の垂れ下がり防止を目的としているので状況により省略しても構わない。【００２７】  前記の防球ネット部材ａ２７の組立について以下説明する。【００２８】  図１１（Ａ）、（Ｂ）はあらかじめ所定の大きさに３分割加工されている防球ネット部材ａ２７の取付け状況の形態図である。第１〜３支柱１５、１６、１７の先端に溶接等で固定されているロープ通し用環状部材２２、２３、２４および防球ネット部材ａ２７に具備されている結び用環状部材２９に防球ネット支持ロープ３０を通し、さらに垂直保持部材１および縦壁部材２に具備されている結び用環状部材２９に防球ネット支持ロープ３０を通��ことにより、第２実施形態になることを可能としている。図５（Ａ）、（Ｂ）では第２支柱は折り返して垂直としているが水平状にしてももちろん構わない。第３支柱１７は先端がＵ形状であるので全体の組立後、防球ネット部材ａ２７の垂れ下がり状況を確認後、取り付けても良いし省略することも構わない。また、防球ネット支持ロープ３０を外周逆Ｕ状のみにして直接防球ネット支持ロープ３０と結び用環状部材２９を紐等で結び、さらに、該結び用環状部材２９とロープ通し用環状部材２３とを直接紐等で結んでも良いものである。
【実施例３】
【００２９】  （第３実施形態：投球、守備用防球ネット付き傾斜型）
図１２は練習者側に、防球ネット部材ａ２７が傾斜している投球、守備練習をする場合の防球ネット付きの第３実施形態を示している正面斜視図（Ａ）および側面図（Ｂ）である。図６（Ａ）、（Ｂ）は第１支柱固定部材１１および第２支柱固定部材１２、図７（Ａ）、（Ｂ）は、第３支柱固定部材１３、図８（Ａ）、（Ｂ）は第４支柱固定部材１４の斜視図および要部拡大図である。【００３０】  構造については第２実施形態と同様であり、ここでは説明を省略し、組立について以下説明する。【００３１】  前記した図６（Ａ）、（Ｂ）は、第１支柱１５を第１支柱固定部材１１へ差し込む形態図であり、図６（Ｂ）はその差し込み部の拡大図であり、第１支柱１５に具備されている角度調整用凸部材９を、あらかじめ計算され指定されている第３実施形態用の角度調整用凹部材ｂ３３へ角度調整用凹部材ａ３２から回転移動することにより、第３実施形態への変形を可能としている。また。第２支柱１６も同様に図７（Ａ）、（Ｂ）に示すように、あらかじめ計算され指定されている第３実施形態用の角度調整用凹部材ｄ３５へ角度調整用凹部材ｃ３４から回転移動することにより、Ｙ字型の第２支柱１６が練習者側方向へ水平に変形され、第３実施形態を可能としている。第３支柱１７も前述と同様に角度調整用凸部材９を、あらかじめ第３実施形態用に計算設定されている角度調整用凹部材ｆ３７に嵌め込むことにより可能としている。もちろん、先端がＵ形状である第３支柱１７は防球ネット部材ａ２７の垂れ下がりを防止する目的であり、組立後防球ネット部材ａ２７の垂れ下がり状況を確認後、取り付けても良いし省略することも構わない。【００３２】  この第３実施形態の防球ネット組立方法は第２実施形態と同様であり、ここでは説明を省略することとする。
【実施例４】
【００３３】  （第４実施形態：防球ネット付き打撃用）
図１３は第３実施形態の防球ネット部材ａ２７を、そのままの形で維持した状態において、独立した防球ネット部材ｂ２８を取り付けることにより、打撃練習を可能にする第４実施形態を示している正面斜視図（Ａ）および側面図（Ｂ）である。図１０（Ａ）は第１支柱固定部材１１および第２支柱固定部材１２への取付け形態図、図１４（Ａ）は防球ネット部材ｂ２８の形状、図９（Ａ）は第４支柱１８の形状、図１４（Ａ）、（Ｂ）は防球ネット部材ｂ２８の組立形態図である。さらに、図１１（Ｂ）は離隔距離の計算図である。【００３４】  前記の構造について以下説明する。【００３５】  第４実施形態は第３実施形態の支柱に図１４（Ａ）で示す防球ネット部材ｂ２８を練習者側に縦壁部材２との離隔を確保して取り付け、さらに、図９（Ａ）に示しているおもし用の第４支柱１８および図９（Ｂ）に示しているアンカーピンｂ２６からなる構造としている。【００３６】  主な支柱の組立については第３実施形態をそのまま利用するものでありここでは説明を省略し、防球ネット部材ｂ２８および第４支柱１８の取付けとアンカーピンｂ２６について以下説明する。【００３７】  防球ネット部材ｂ２８の取付けは図１４（Ａ）に示している、１枚形状の防球ネット部材ｂ２８を、あらかじめ防球ネット部材ｂ２８に具備されている防球ネット結び用固定用部材２９とロープ通し用環状部材ａ２２に防球ネット支持ロープ３０を通し、略四角形にしておき、次に図１４（Ｂ）、（Ｃ）に示すように幕を引くようにして第４実施形態に変形することを可能としている。もちろん、防球ネット部材ｂ２８の取付は防球ネット支持ロープ３０と防球ネット結び用固定用部材２９およびロープ通し用環状部材ｂ２３を紐等で結んでも良いし、防球ネット支持ロープ３０無しで防球ネット部材ｂ２８を防球ネット結び用固定用部材２９およびロープ通し用環状部材ｂ２３に直接紐等で結んでも良いものである。また、図１０（Ａ）に示すように第１支柱１５を第１支柱固定部材１１に残した状態で独立して新たに第１支柱１５を第２支柱固定部材１２に差し込み取り付けても良いものである。さらに、図１４（Ａ）で示すように第４支柱１８およびアンカーピンｂ２６を取り付けて第４実施形態を形成することとしている。アンカーピンｂ２６は状況により省略することは構わない。【００３８】  打撃練習ではボールの跳ね返りを防ぐために、縦壁部材２と防球ネット部材ｂ２の間に適度な離隔が必要であるが、図１０（Ｂ）は水平距離が１００ｍの第１支柱１５を第４実施形態用の角度調整用凹部３３へ４５°回転移動した場合の、縦壁部材２と防球ネット部材ｂ２８の離隔距離の計算図および値であり、結果約７０ｃｍの離隔が可能となり打撃練習には支障が出ないことを可能としている。
【産業上の利用可能性】
【００３９】  本考案は軽量コンパクトであり組立解体が容易なことを特徴としている１人用の野球練習用の器具であり、野球の遊戯人口増及び技術の上達の助けになるものとしているが、親等の練習補助者の拘束される時間等が軽減され自由時間が増えることとなる。
【符号の説明】
【００４０】１    垂直保持部材
２    縦壁部材
３    水平支持部材
４    斜め支持部材
５    斜材連結用部材
６    水平材連結用部材
７    締結部材ａ（縦壁部材固定用）
８    締結部材ｂ（鋼材連結用）
９    角度調整用凸部材
１０  角度調整用凹部材
１１  第１支柱固定部材
１２  第２支柱固定部材
１３  第３支柱固定部材
１４  第４支柱固定部材
１５  第１支柱
１６  第２支柱
１７  第３支柱
１８  第４支柱
１９  挿通孔ａ（縦壁部材具備）
２０  挿通孔ｂ（垂直保持部材具備）
２１  挿通孔ｃ（鋼材具備連結用）
２２  ロープ通し用環状部材ａ
２３  ロープ通し用環状部材ｂ
２４  ロープ通し用Ｕ形部材
２５  アンカーピンａ
２６  アンカーピンｂ
２７  防球ネット部材ａ
２８  防球ネット部材ｂ
２９  結び用環状部材
３０  防球ネット支持ロープ
３１  練習者
３２  角度調整用凹部ａ
３３  角度調整用凹部ｂ
３４  角度調整用凹部ｃ
３５  角度調整用凹部ｄ
３６  角度調整用凹部ｅ
３７  角度調整用凹部ｆ
３８  野球ボール
【図１】
0003206894.tif 000003
【図２】
0003206894.tif 000004
【図３】
0003206894.tif 000005
【図４】
0003206894.tif 000006
【図５】
0003206894.tif 000007
【図６】
0003206894.tif 000008
【図７】
0003206894.tif 000009
【図８】
0003206894.tif 000010
【図９】
0003206894.tif 000011
【図１０】
0003206894.tif 000012
【図１１】
0003206894.tif 000013
【図１２】
0003206894.tif 000014
【図１３】
0003206894.tif 000015
【図１４】
0003206894.tif 000016
【手続補正書】
【提出日】平成28年8月2日(2016.8.2)
【手続補正１】
【補正対象書類名】明細書
【補正対象項目名】００１２
【補正方法】変更
【補正の内容】
【００１２】
【図１】第１実施形態の正面斜視図（Ａ）、側面図（Ｂ）である。
【図２】第１実施形態に係わる説明図（Ａ）、（Ｂ）、（Ｃ）である。
【図３】第１実施形態に係わる説明図（Ａ）、（Ｂ）、（Ｃ）である。
【図４】第１実施形態に係わる説明図（Ａ）、（Ｂ）である。
【図５】第２実施形態の正面斜視図（Ａ）、側面図（Ｂ）である。
【図６】第２，３、４実施形態に係わる説明図（Ａ）、（Ｂ）である。
【図７】第２，３、４実施形態に係わる説明図（Ａ）、（Ｂ）である。
【図８】第２，３、４実施形態に係わる説明図（Ａ）、（Ｂ）である。
【図９】第２，３、４実施形態に係わる説明図（Ａ）、（Ｂ）である。
【図１０】第２，３、４実施形態に係わる説明図（Ａ）、（Ｂ）である。
【図１１】第２、３実施形態に係わる説明図（Ａ）、（Ｂ）である。
【図１２】第３実施形態の正面斜視図（Ａ）、側面図（Ｂ）である。
【図１３】第４実施形態の正面斜視図（Ａ）、側面図（Ｂ）である。
【図１４】第４実施形態に係わる説明図（Ａ）、（Ｂ）、（Ｃ）である。